(57)【要約】      （修正有）【課題】使用に際して充分な耐久性を有するとともに、小規模且つ簡易な設備で安価に製造できる巻き芯を提供する。【解決手段】芯材１と囲み部材２とを備えており、芯材１は、ダンボール材を複数枚積層させたものであり、囲み部材２は、芯材１の外周部を水平軸回りに囲むものであり、囲み部材２は、芯材１を囲んだときの内周部に、芯材１の外周部のコーナー部Ｒの当たる箇所とほぼ一致する位置に折り目部２０が設けてあることを特徴とする。【選択図】図１
2014231410.tif 000002
【特許請求の範囲】
【請求項１】
芯材と囲み部材とを備えており、
芯材は、ダンボール材を複数枚積層させたものであり、
囲み部材は、芯材の外周部を水平軸回りに囲むものであり、
囲み部材の芯材を囲んだときの内周部には、芯材の外周部のコーナー部の当たる箇所とほぼ一致する位置に、ダンボール材を内周側に折り曲げる折り目部が設けてあることを特徴とする巻き芯。
【請求項２】
囲み部材は、ダンボール材の段山が芯材の段山と直交して配置してあることを特徴とする請求項１記載の巻き芯。
【発明の詳細な説明】
【技術分野】
【０００１】
本発明は、生地等を巻いて保持するための巻き芯に関するものである。
【背景技術】
【０００２】
この種の巻き芯は、所定の厚みに切断したダンボール材の外周にボール紙を巻き付けて形成されるものであった。さらに、上記のように形成された巻き芯は、その外周に衣類の生地等を巻き付けた状態とし、繊維加工業者や一般消費者等に供給される。そして、上記のような巻き芯は、長尺で且つ各段山が大きい中芯を有するダンボール材を複数重ねて貼り合わせ、その積層された構成物を所定の間隔で複数回切断していくことにより、巻き芯の芯材を形成する。さらに、上記の芯材にボール紙を圧縮しながら巻き付けることにより完成するものであった。
【先行技術文献】
【特許文献】
【０００３】
【特許文献１】特開平１０−２４５０４号公報
【発明の概要】
【発明が解決しようとする課題】
【０００４】
芯材の製造には長尺な材料を次工程に搬送する大掛かりな設備が必要となる。また、上記のような各段山が大きく特殊な中芯を使用するダンボール材は、緩衝性能が向上する反面、剪断耐力あるいは耐刃性が一般的なダンボール材と比較して飛躍的に高くなる。このことから、上記のようなダンボール材を所定の間隔に切断するためには特殊な装置も必要となった。これにより、巻き芯を容易に製造できない不都合があった。
本発明は、上記課題を鑑みてなされたものであり、使用に際して充分な耐久性を有するとともに、小規模且つ簡易な設備で製造できる巻き芯を提供することにある。
【課題を解決するための手段】
【０００５】
本発明のうち請求項１記載の発明は、芯材と囲み部材とを備えており、芯材は、ダンボール材を複数枚積層させたものであり、囲み部材は、芯材の外周部を水平軸回りに囲むものであり、囲み部材の芯材を囲んだときの内周部には、芯材の外周部のコーナー部の当たる箇所とほぼ一致する位置に、ダンボール材を内周側に折り曲げる折り目部が設けてあることを特徴とする。
【０００６】
本発明のうち請求項２記載の発明は、囲み部材は、ダンボール材の段山が芯材の段山と直交して配置してあることを特徴とする。
【発明の効果】
【０００７】
本発明のうち請求項１記載の発明によれば、囲み部材は、ダンボール材に折り目が設けてあり、ダンボール材に芯材を置いて折り目で折り曲げることにより芯材を囲むものである。これにより、囲み部材は芯材の外周に沿って全周にしっかりと当接するので、囲み部材で芯材を囲む施工が容易となる。さらに、芯材は、ダンボール材を複数積層したものであることから、新規あるいは回収された古紙からなるダンボール材をそのまま利用できるため、原材料の入手が容易になる。さらに、ダンボール材を所定の大きさに切断し、それを複数枚積層して芯材を形成し、その外周部を囲み部材で囲んで形成されるものであるから、製造が容易であり加工性に優れている。
【０００８】
本発明のうち請求項２記載の発明によれば、囲み部材と芯材を構成するダンボール材の段山が直交して配置される。これにより、巻き芯に生地を巻いたときに、段山の方向が直交していることにより巻き芯に加わる生地の荷重で巻き芯が折れることがなく、さらに、生地などを巻き付ける張力が強すぎても潰れにくくなることから、耐久性の高い巻き芯を提供できる。
【図面の簡単な説明】
【０００９】
【図１】本実施による巻き芯の（ａ）は、全体を示す斜視図であり、（ｂ）は、使用状態を示す斜視図である。
【図２】本実施による巻き芯を構成する（ａ）は、芯材の斜視図であり、（ｂ）は、囲み部材の斜視図である。
【図３】（ａ）（ｂ）は、本実施による巻き芯の製造手順を示す斜視図である。
【図４】（ａ）（ｂ）は、図３（ａ）（ｂ）に引き続き、本実施による巻き芯の製造手順を示す斜視図である。
【図５】（ａ）（ｂ）は、図４（ａ）（ｂ）に引き続き、本実施による巻き芯の製造手順を示す斜視図である。
【発明を実施するための形態】
【００１０】
以下に、図面に基づいて本実施による巻き芯について説明する。
本実施による巻き芯（図中の符号Ａ、以下、巻き芯Ａと記す）は、図１（ａ）のように、芯材１と、囲み部材２とから構成されている。また、図１（ｂ）のように、巻き芯Ａを使用する際は、上記の巻き芯Ａに生地１６を巻き付けることで使用する。
芯材１は、図２（ａ）のように、一辺が長い矩形状をなす芯材用ダンボール材１１，１２を上下に複数枚積層させた構造をなしている。本実施のものでは、２枚の芯材用ダンボール材１１，１２を積層しており、いずれの芯材用ダンボール材１１，１２も波形をなす中芯１１ｂ，１２ｂの上下両面にフラットな紙材１１ａ，１２ａを配置する両面のダンボール材を使用している。
【００１１】
囲み部材２は、図２（ｂ）のように、上記した芯材１と同様に、中芯２ｂの両面にフラットな紙材２ａ，２ａを配置する両面ダンボール材を使用している。囲み部材２に使用する囲み部材用ダンボール材は、芯材１の外周を囲むことのできる長さに形成してある。また、囲み部材２は、間隔をあけた４ヶ所に折り目線（折り目部）２０がそれぞれ平行して設けてある。これにより、囲み部材用ダンボール材は、折り目線（折り目部）２０を区切りとして上下面隠蔽部２２ａ，２２ｂと側面隠蔽部２２ｃが設けられる。そして、各折り目線（折り目部）２０の間隔は、芯材１の幅と厚みの各寸法よりも僅かに大きく設定してある。これは、囲み部材２で芯材１の外周を囲んだときに、囲み部材２の内周部が芯材１の外周部とほぼ一致することから、囲み部材２と芯材１との間に空隙がほとんど生じない構造となる。したがって、芯材１を囲む囲み部材２のコーナー部Ｒでは、図１（ａ）を参照すれば、囲み部材用ダンボール材が折り目線（折り目部）２０において曲げられた箇所で、囲み部材２の巻き付け方向に無理な張力がかかることがない。
【００１２】
また、本発明の巻き芯の実施の一例を説明する。本実施例のものは、囲み部材２が長さ４７０ｍｍ、幅１５０ｍｍ、厚み２０ｍｍの囲み部材用ダンボール材であり、芯材１を囲むほぼ矩形の筒体を形成できる寸法のものを使用している。さらに、囲み部材２を展開したときに、１５０ｍｍ、２０ｍｍ、１５０ｍｍ、２０ｍｍの間隔でそれぞれ折り目線（折り目部）２０が設けてある。また、芯材は、長さ４７０ｍｍｍ、幅１５０ｍｍ、厚み５ｍｍの芯材用ダンボール材１１，１２を二枚重ねるとともに、各芯材用ダンボール材１１，１２を貼り合わせたものである。このうち囲み部材２は、芯材１の外周部を囲むものであることから、芯材１と囲み部材２とが対向するコーナー部Ｒの形成部分のクリアランスを考慮して若干長めに寸法をとっている。これにより、囲み部材２の両端部の端縁同士が当接する寸法に設定している。このように、本実施による巻き芯Ａの厚みが芯材１の荷重による圧縮を考慮しても、少なくとも１５ｍｍ以上を有するように形成すれば、巻き芯Ａに生地１６を巻き付けたときに、その荷重で巻き芯Ａが折れることがなく、しかも、巻き芯Ａがかさ張って保管あるいは搬送に要するスペースを占有しない適度な大きさとなる。
【００１３】
上記した巻き芯Ａの製造手順を図１（ａ）と図３（ａ）（ｂ）、図４（ａ）（ｂ）、図５（ａ）（ｂ）に基づいて説明する。
第一手順として図３（ａ）のように、波形の紙材である中芯１１ｂ，１２ｂの上下両面にフラットな紙材１１ａ，１２ａをそれぞれ配置する両面の芯材用ダンボール材１１，１２を上下に貼り合わせし、図３（ｂ）のように、芯材１を形成する。
第二手順として図４（ａ）のように、上記第一実施形態で形成した芯材１を、囲み部材２の折り目線（折り目部）２０の間に載置する。このとき、芯材１の段山１５と囲み部材２の段山１５は直交させる。
さらに、図４（ｂ）のように、芯材１を挟んでいる折り目線（折り目部）２０をそれぞれ内周側に折り曲げる。これにより、囲み部材２が芯材１の外周をほぼ隙間なく囲む。また、囲み部材２の折り曲げた内周側部には接着剤が塗布してある。
第三の手順として図５（ａ）のように、芯材１の長辺の両端部をそれぞれ紙ラベル１７で閉塞して図５（ｂ）のように、囲み部材２の端面を隠蔽して芯材１を外部から見えなくする。
以上の工程を経ることにより、本実施による巻き芯の製造が完了する。
【００１４】
本発明の巻き芯Ａは、上記実施形態では囲み部材２の折り目部２０として囲み部材用ダンボール材のフラットな紙材を窪ませた折り目線２０を選択している。
この他、折り目線２０のかわりに囲み部材用ダンボール材を構成する紙材にミシン線を設けたもの、あるいは、段山１５に沿ってあらかじめ折り曲げ部分を設けておく手法などが挙げられる。また、上記実施形態では上層、中層、下層に配置する二枚の芯材用ダンボール材１１，１２を積層することにより形成した芯材１について挙げたが、その枚数については、生地１６の材質や巻き付け回数等を鑑みて適宜変更することができる。また、芯材１は、上記実施形態では芯材１を構成する各芯材用ダンボール材１１，１２の段山１５と囲み部材２の段山１５の延長する方向が交互に積層されているが、生地１６の巻き数が少ないものや生地１６の素材が軽い場合には、段山１５の延びる方向がすべて同一方向を向くように積層してもよい。ただ、巻き芯Ａの厚みが極端に大きくなると生地１６等が巻き付け難くなり、さらに、生地１６等を巻き付けた最終製品を保管や搬送するときに、そのスペースを無駄にとってしまう不都合がある。また反対に、巻き芯Ａの厚みが薄い場合には、生地１６の荷重により芯材１が長手方向の中間部で折れてしまうことから耐久性に難がある。
【符号の説明】
【００１５】
１  芯材
２  囲み部材
２ｂ，１１，１２  芯材用ダンボール材（ダンボール材）
１１ｂ，１２ｂ  中芯
１５  段山
２０  折り目線（折り目部）
【図１】
2014231410.tif 000003
【図２】
2014231410.tif 000004
【図３】
2014231410.tif 000005
【図４】
2014231410.tif 000006
【図５】
2014231410.tif 000007